(57)【要約】      （修正有）【課題】ノイズを抑制できる高周波制御可能な可動コイル圧電セラミック一体型スピーカーを提供する。【解決手段】可動コイルスピーカー１の下にセラミックスピーカーカバーが設けられ、セラミックスピーカーカバーの中にスペースがあり、スペース底部に貫通穴１０が設けられ、セラミックスピーカーカバーの底部に水平にチューニングピース３が設けられ、チューニングピース中央部に貫通穴１１が設けられ、チューニングピース上部はセラミックスピーカーカバーの底部に繋がっている。セラミックスピーカーカバーの中には、圧電セラミックピース４が水平に配置され、セラミックピースの中央に貫通穴９が設置され、セラミックピースのトップに水平に振動板５が配置され、振動板の中央部に貫通穴８が設置され、セラミックピースのトップが振動板の下部に繋がり圧電セラミックスピーカーになる。【選択図】図１
0003229390.tif 000002
【実用新案登録請求の範囲】
【請求項１】
圧電セラミックスの高周波制御可能な可動コイル圧電セラミック一体型スピーカーである、可動コイルスピーカー、セラミックスピーカーカバーとチューニングピースが備えている、可動コイルスピーカーの下にセラミックスピーカーカバーが設けられ、セラミックカバーの中にスペースがあり、スペースの底に三番目の貫通穴が設置され、セラミックスピーカーカバーの底部に水平にチューニングピースが配置され、チューニングピースの中部に四番目の貫通穴が設置されている、チューニングピースのトップはセラミックスピーカーカバーの底部に繋がっている、セラミックスピーカーカバーの中に水平に圧電セラミックピースが配置され、圧電セラミックピースの中央に二番目の貫通孔が設置され、圧電セラミックピースのトップに振動板が水平に配置され、振動板の中央に一番目の貫通穴が設置され、圧電セラミックピースのトップが振動板の下部に繋がっている、圧電セラミックピースと振動板の組み合わによって圧電セラミックスピーカーになる、振動板のトップが水平方向に制振ピースが取り付けられ、制振ピースの下部は振動板の上部に繋がっている、また制振ピースはリング状になっている、制振ピースのトップに可動コイルスピーカーカバーが設置され、制振ピースのトップが可動コイルスピーカーカバーの底部に繋がっている、可動コイルスピーカーカバー底部の中央に鉛直下に向け取付柱が設置されることを特徴とする。
【請求項２】
前記の請求項１に記載された圧電セラミックの高周波制御可能な可動コイル圧電セラミック一体型スピーカーにより、それは取付柱に五番目の貫通穴が設置され、前記の五番目貫通穴は、前記の取付柱の底部と可動コイルのスピーカーカバーの底部を貫通していることを特徴とする。
【請求項３】
前記の請求項１に記載された圧電セラミックの高周波制御可能な可動コイル圧電セラミック一体型スピーカーにより、取付柱が一番目の貫通穴・二番目の貫通穴・三番目の貫通穴・四番目の貫通穴と五番目貫通穴を貫通することを特徴とする。
【請求項４】
前記の請求項1に記載された圧電セラミックの高周波制御可能な可動コイル圧電セラミック一体型スピーカーにより、セラミックスピーカカバーの底面に複数の音声孔が設置され、音声孔が前記のセラミックスピーカカバーを貫通していることを特徴とする。
【考案の詳細な説明】
【技術分野】
【０００１】
本実用新案は、スピーカーの分野に及んでいる、特に圧電セラミックの高周波制御可能な可動コイル圧電セラミック一体型スピーカーである。
【背景技術】
【０００２】
スピーカー（ラッパ）は、電気信号を音響信号に変換するトランスデューサーであり、スピーカーの性能が良質かどうかは音質に対して大きな影響を与える。スピーカーは、音響機器に最も弱いデバイスの1つであり、音響効果にとって最も重要なコンポーネントでもある。スピーカーには多くの種類があり、価格も大きく異なる。オーディオの電気は、電磁気・圧電、または静電効果によって、ペーパーコーンや膜ピースを振動させ、周りの空気と共振（共鳴）して音を出すようになる。
【０００３】
従来のスピーカーでは、振動板が高速振動時に他の部品と衝突するため、雑音が発生する。
【考案の概要】
【０００４】
本実用新案は、上記の不具合を克服するために、上記の問題を解決できる技術的な解決策を提供することを目的とする。
【０００５】
圧電セラミックの高周波制御可能な可動コイル圧電セラミック一体型スピーカーは、可動コイルスピーカー・セラミックスピーカーカバーとチューニングピースで構成されている、可動コイルスピーカーの下にセラミックスピーカーカバーが設けられ、セラミックスピーカーカバーにスペースが設置され、スペースの底部に三番目の貫通穴がされている。セラミックスピーカーカバーの底部にチューニングピースが水平に配置され、チューニングピースの中央部に四番目の貫通穴が設置され、チューニングピースのトップはセラミックスピーカーカバーの底部に繋がっている。セラミックスピーカーカバーの中に圧電セラミックピースが設けられ、圧電セラミックピースの中央部に二番目の貫通穴が設置され、圧電セラミックピースのトップに振動板が水平に配置され、振動板の中央部に一番目の貫通穴が設置され、圧電セラミックピースのトップが振動板の下部に繋がっている、圧電セラミックピースと振動板の組み合わせによって圧電セラミックスピーカーカバーになり、振動板のトップに制振ピースが設けられ、制振ピースの下部が振動板のトップに繋がって、またリング状とする、制振ピースのトップに可動コイルスピーカーカバーが設けられ 制振ピースのトップが可動コイルスピーカーカバーの底部に繋がっている、可動コイルスピーカーカバー底部の中央部に、垂直下に向けて取付柱が設置されていることを特徴とする。
【０００６】
また、取付柱の内には五番目の貫通穴が設置されており、この五番目の貫通穴は、取付柱の底部と可動コイルスピーカーカバーの底部を貫通している。
【０００７】
また、取付柱は、一番目の貫通穴・二番目の貫通穴・三番目の貫通穴・四番目の貫通穴及び五番目の貫通穴を貫通されている。
【０００８】
また、セラミックスピーカーカバーの底面には複数の音声穴が設置されており、音声穴はセラミックスピーカーカバーを貫通している。
【０００９】
従来技術と比較すると、本実用新案の効果は、圧電セラミックピースが規則的な形状の単一の振動板に取り付けられることで、音が純粋でよりよく制御できるようになる。次に振動板が制振ピースを介して可動コイルスピーカーカバーに取り付けられる、制振ピースの役割により、高速振動板が音を出す時に可動コイルスピーカーカバーと可動コイルスピーカーを共振させてノイズが発生しないようになる。
【００１０】
本実用新案に関する追加状態及び利点は、下記において部分的に見られ、また、下記の説明から明らかになるか、または本実用新案の実施によって理解できると思う。
【図面の簡単な説明】
【００１１】
本実用新案の実施例或いは従来の技術解決策をより明確に説明するために、下記通り、実施例或いは従来技術の説明に使用される図面で簡単に紹介する。 下記の略図が本実用新案の単なるいくつかの実施例であり、当業者にとって、創造的な労力を払わなくて、これらの図面に基づいて他の関連図面を得ることができる。
【００１２】
【図１】本実用新案である圧電セラミックスの高周波制御可能な可動コイル圧電セラミックス一体型スピーカーの構成略図である。
【考案を実施するための形態】
【００１３】
以下、本実用新案の実施例における技術的解決策を明確かつ完全に説明するが、説明される実施例は、本発明の実施例の一部にすぎず、すべての実施例ではないことは明らかである。本実用新案の実施例に基づいて、創造的な努力をしなくて当業者によって得られる他のすべての実施例は、本発明の保護範囲内に含まれている。
【００１４】
図１を参照すると、本実用新案の実施例において、圧電セラミックの高周波制御可能な可動コイル圧電セラミック一体型スピーカーは、可動コイルスピーカー１・セラミックスピーカーカバー2とチューニングピース3が含めている。可動コイルスピーカー１の下にセラミックスピーカーカバー２が設けられ、セラミックスピーカーカバー２の中にスペースが設置され、スペースの底部に三番目の貫通穴10が設置され、セラミックスピーカーカバー2の底部にチューニングピース3が設置され、チューニングピース3の中央部に四番目の貫通穴11が設置されている。チューニングピース3のトップがセラミックスピーカーカバー2の底部に繋がっている。セラミックスピーカーカバー2の中には圧電セラミックピース４が水平に設けられ、圧電セラミックシート4の中央部に二番目の貫通穴９が設置されている、圧電セラミックピース4のトップに振動ピース５が水平に配置され、振動ピース5の中央部に一番目の貫通穴8が設置され、圧電セラミックピース4のトップが振動ピース5の下部に繋がっている、圧電セラミック板４と振動ピース5の組み合わせによって圧電セラミックスピーカーになる。振動ピース5のトップには制振ピース6が設けられ、制振ピース6の下部は振動ピース５のトップに繋がっている、制振ピース6は振動ピース5のトップに繋がってかつ制振ピース6がリング状をしている、制振ピース６のトップには可動コイルスピーカーカバー7が設置され、制振ピース6が可動コイルスピーカーカバー7の底部に繋がっている、可動コイルスピーカーカバー7底部の中央部から垂直下に向け取付柱13が設置されている。
【００１５】
また、取付柱13の中には、五番目の貫通穴12が設置されており、五番目の貫通穴12が、取付柱13の底部及ぶ可動コイルスピーカーカバー7の底部を貫通している。
【００１６】
また、取付柱13は、一番目の貫通穴8、二番目の貫通穴9、三番目の貫通穴10、四番目の貫通穴11及び五番目の貫通穴12を貫通している。
【００１７】
また、セラミックスピーカーカバー2の底面には複数の音声穴14が設置されており、音声穴14はセラミックスピーカーカバー2を貫通している。
【００１８】
当業者にとって、本実用新案が上記の実施例の詳細に限定されず、本実用新案の精神または基本的な特徴から逸脱しなく他の特定方法で実施できることは明らかである。したがって、どの観点から見ても、実施例を示範的かつ非限定的であると見なされるべきであり、本実用新案の範囲は、上記の説明ではなく添付の特許請求の範囲によって定義される、そのため、必要な同等の要件の意味と範囲のすべての変更は、本実用新案に含まれること。請求項の参照標記は、関連する請求項を制限するものと見なされるべきではない。
【符号の説明】
【００１９】
1.可動コイルスピーカー、2.セラミックスピーカーカバー、3.チューニングピース、4.圧電セラミックピース、5.振動ピース、6.制振ピース、7.可動コイルスピーカーカバー、8. 一番目のスルーホール、9.二番目のスルーホール、10.三番目のスルーホール、11.四番目のスルーホール、12．五番目のスルーホール、13.取り付け柱、14．サウンドホール（音声穴）。
【図１】
0003229390.tif 000003
【手続補正書】
【提出日】令和2年9月11日(2020.9.11)
【手続補正１】
【補正対象書類名】実用新案登録請求の範囲
【補正対象項目名】全文
【補正方法】変更
【補正の内容】
【実用新案登録請求の範囲】
【請求項１】
圧電セラミックスの高周波制御可能な可動コイル圧電セラミック一体型スピーカーである、可動コイルスピーカー、セラミックスピーカーカバーとチューニングピースが備えている、可動コイルスピーカーの下にセラミックスピーカーカバーが設けられ、セラミックカバーの中にスペースがあり、スペースの底に三番目の貫通穴が設置され、セラミックスピーカーカバーの底部に水平にチューニングピースが配置され、チューニングピースの中部に四番目の貫通穴が設置されている、チューニングピースのトップはセラミックスピーカーカバーの底部に繋がっている、セラミックスピーカーカバーの中に水平に圧電セラミックピースが配置され、圧電セラミックピースの中央に二番目の貫通孔が設置され、圧電セラミックピースのトップに振動板が水平に配置され、振動板の中央に一番目の貫通穴が設置され、圧電セラミックピースのトップが振動板の下部に繋がっている、圧電セラミックピースと振動板の組み合わによって圧電セラミックスピーカーになる、振動板のトップが水平方向に制振ピースが取り付けられ、制振ピースの下部は振動板の上部に繋がっている、また制振ピースはリング状になっている、制振ピースのトップに可動コイルスピーカーカバーが設置され、制振ピースのトップが可動コイルスピーカーカバーの底部に繋がっている、可動コイルスピーカーカバー底部の中央に鉛直下に向け取付柱が設置されることを特徴とする圧電セラミックの高周波制御可能な可動コイル圧電セラミック一体型スピーカー。
【請求項２】
前記の請求項１に記載された圧電セラミックの高周波制御可能な可動コイル圧電セラミック一体型スピーカーにより、それは取付柱に五番目の貫通穴が設置され、前記の五番目貫通穴は、前記の取付柱の底部と可動コイルのスピーカーカバーの底部を貫通していることを特徴とする圧電セラミックの高周波制御可能な可動コイル圧電セラミック一体型スピーカー。
【請求項３】
前記の請求項１に記載された圧電セラミックの高周波制御可能な可動コイル圧電セラミック一体型スピーカーにより、取付柱が一番目の貫通穴・二番目の貫通穴・三番目の貫通穴・四番目の貫通穴と五番目貫通穴を貫通することを特徴とする圧電セラミックの高周波制御可能な可動コイル圧電セラミック一体型スピーカー。
【請求項４】
前記の請求項1に記載された圧電セラミックの高周波制御可能な可動コイル圧電セラミック一体型スピーカーにより、セラミックスピーカカバーの底面に複数の音声孔が設置され、音声孔が前記のセラミックスピーカカバーを貫通していることを特徴とする圧電セラミックの高周波制御可能な可動コイル圧電セラミック一体型スピーカー。